(57)【要約】【課題】コンパクトに収納可能であり、軽量で持ち運びが容易で、準備作業を円滑且つ容易に行うことのできるホースを提供する。【解決手段】本発明に係るホース１は、内部に水が流通可能に形成され、長さ方向及び径方向に伸縮可能な素材から成る内側ホースと、該内側ホースの外側を覆うように蛇腹状に形成され、長さ方向及び径方向に伸縮可能な素材から成るカバーホース３と、前記内側ホース及びカバーホース３の一端に接続され、蛇口に着脱可能なプラグ４と、前記内側ホース及びカバーホース３の他端に接続され、水を放出可能に形成されるノズル６と、を備え、前記内側ホースの内部に水が流通する時の水圧によって、前記内側ホースが長さ方向及び径方向に伸長すると共にカバーホース３が前記内側ホースの径方向の伸長を抑制しながら長さ方向及び径方向に伸長するように構成されていることを特徴とする。【選択図】図１
2014214764.tif 000002
【特許請求の範囲】
【請求項１】
内部に水が流通可能に形成され、長さ方向及び径方向に伸縮可能な素材から成る内側ホースと、
該内側ホースの外側を覆うように蛇腹状に形成され、長さ方向及び径方向に伸縮可能な素材から成るカバーホースと、
前記内側ホース及び前記カバーホースの一端に接続され、蛇口に着脱可能なプラグと、
前記内側ホース及び前記カバーホースの他端に接続され、水を放出可能に形成されるノズルと、
を備え、
前記内側ホースの内部に水が流通する時の水圧によって、前記内側ホースが長さ方向及び径方向に伸長すると共に前記カバーホースが前記内側ホースの径方向の伸長を抑制しながら長さ方向及び径方向に伸長するように構成されていることを特徴とするホース。
【請求項２】
前記内側ホースはシリコン製であり、前記カバーホースはナイロン製であることを特徴とする請求項１に記載のホース。
【発明の詳細な説明】
【技術分野】
【０００１】
本発明は、散水や洗車等の際に水道の蛇口に接続されて使用されるホースに関するものである。
【背景技術】
【０００２】
一般に、散水や洗車等は水道の蛇口にホースを接続することで行われる。この場合に使用される従来のホースは、合成樹脂製やゴム製で可撓性を有しており、その使用状況に応じてある程度の長さを必要とする（例えば、特許文献１又は２参照）。
【先行技術文献】
【特許文献】
【０００３】
【特許文献１】実開平５−８７３８３号公報
【特許文献２】特開２００３−２３５３５６号公報
【発明の概要】
【発明が解決しようとする課題】
【０００４】
上記した従来のホースは、未使用時にまるめて収納するのが通常であるが、ある程度の長さを有しているため、まるめた状態でも嵩張り、収納スペースを広く必要とするという問題があった。また、ホースが重く、持ち運び難いという問題もあった。
【０００５】
さらにまた、ホースを使用するためにまるめた状態から伸長状態にする準備作業時に、ホースが絡まり易く、準備作業に手間が掛かるといった問題もあった。
【０００６】
本発明は、上記した課題を解決すべくなされたものであり、コンパクトに収納可能であり、軽量で持ち運びが容易で、準備作業を円滑且つ容易に行うことのできるホースを提供することを目的とするものである。
【課題を解決するための手段】
【０００７】
上記した目的を達成するため、本発明に係るホースは、内部に水が流通可能に形成され、長さ方向及び径方向に伸縮可能な素材から成る内側ホースと、該内側ホースの外側を覆うように蛇腹状に形成され、長さ方向及び径方向に伸縮可能な素材から成るカバーホースと、前記内側ホース及び前記カバーホースの一端に接続され、蛇口に着脱可能なプラグと、前記内側ホース及び前記カバーホースの他端に接続され、水を放出可能に形成されるノズルと、を備え、前記内側ホースの内部に水が流通する時の水圧によって、前記内側ホースが長さ方向及び径方向に伸長すると共に前記カバーホースが前記内側ホースの径方向の伸長を抑制しながら長さ方向及び径方向に伸長するように構成されていることを特徴とする。
【０００８】
この特徴によれば、ホースの未使用時の長さが使用時より非常に短くなるため、収納時に嵩張ることがなく、広い収納スペースを必要としない。また、軽量に形成することができるため、持ち運びやすい。さらに、ホースを使用するためにまるめた状態から伸長状態にする準備作業時に、ホースが絡まり難いため、準備作業を円滑且つ容易に行うことができる。
【０００９】
また、本発明に係るホースにおいて、前記内側ホースはシリコン製であり、前記カバーホースはナイロン製であることを特徴としてもよい。
【００１０】
この特徴によれば、上記した効果に加えて、安価で耐久性のあるホースを提供することができる。
【発明の効果】
【００１１】
本発明によれば、コンパクトに収納可能であり、軽量で持ち運びが容易で、準備作業を円滑且つ容易に行うことのできる等、種々の優れた効果を得ることができる。
【図面の簡単な説明】
【００１２】
【図１】本発明の実施の形態に係るホースを示す図である。
【図２】本発明の実施の形態に係るホースを蛇口に接続した使用前の状態を示す図である。
【図３】本発明の実施の形態に係るホースの使用前の状態を示す断面図である。
【図４】本発明の実施の形態に係るホースを蛇口に接続した使用中の状態を示す図である。
【図５】本発明の実施の形態に係るホースの使用中の状態を示す断面図である。
【発明を実施するための形態】
【００１３】
以下、図面を参照しつつ、本発明の実施の形態に係るホースについて説明する。ここで、図１は本発明の実施の形態に係るホースを示す図、図２は本発明の実施の形態に係るホースを蛇口に接続した使用前の状態を示す図、図３は本発明の実施の形態に係るホースの使用前の状態を示す断面図、図４は本発明の実施の形態に係るホースを蛇口に接続した使用中の状態を示す図、図５は本発明の実施の形態に係るホースの使用中の状態を示す断面図である。
【００１４】
本発明の実施の形態に係るホース１は、内側ホース２と、内側ホース２の外側を覆うカバーホース３と、により二重構造を有している。
【００１５】
内側ホース２は、内部に水が流通可能なように形成され、長さ方向及び径方向に伸縮可能な素材、例えばシリコン素材により構成されている。
【００１６】
カバーホース３は、蛇腹状に形成され、長さ方向及び径方向に伸縮可能な素材、例えばナイロン素材により構成されている。
【００１７】
内側ホース２及びカバーホース３の一端にはプラグ４が接続されており、このプラグ４は水道の蛇口５に着脱可能に構成されている。
【００１８】
また、内側ホース２及びカバーホース３の他端にはノズル６が接続されており、このノズル６を介して水を放出可能となっている。
【００１９】
このような構成を備えた本発明の実施の形態に係るホース１を使用して散水等する場合、先ず、図２に示すように、プラグ４を水道の蛇口５に装着して散水等の準備をする。この使用前の状態では、例えば、ホース１の長さが５ｍであり、図３に示すように、内側ホース２の直径ｄ１が９ｍｍ、カバーホース３の外径ｄ２が１６〜２０ｍｍ程度である。
【００２０】
次に、図４に示すように、水道の蛇口５を開くと、内側ホース２の内部に水が流通し、その時の水圧によって、内側ホース２が長さ方向及び径方向に伸長する。そうすると、カバーホース３は、内側ホース２に接触することで内側ホース２の径方向の伸長を抑制しながら、内側ホース２と一緒に長さ方向及び径方向に伸長し、ノズル６からは水が放出される。
【００２１】
この使用状態では、例えば、ホース１の長さが最大で使用前の状態の３倍の１５ｍとなり、図５に示すように、ホース１の直径が約３０ｍｍ程度となる。
【００２２】
そして散水作業を終了後、水道の蛇口５を閉めると、内側ホース２の内部の水圧が次第になくなり、ホース１、内側ホース２、及びカバーホース３の長さ及び外径は、それぞれ、自然に前記使用前の状態に戻る。
【００２３】
上記したように本発明の実施の形態に係るホース１によれば、ホース１の未使用時の長さが使用時の１／３になるため、収納時に嵩張ることがなく、広い収納スペースを必要としない。また、重量が約１５００ｇと軽量であるため、持ち運びやすい。さらに、ホース１を使用するためにまるめた状態から伸長状態にする準備作業時に、ホース１が絡まり難いため、準備作業を円滑且つ容易に行うことができる。
【００２４】
なお、上記した本発明の実施の形態の説明は、本発明に係るホース１における好適な実施の形態を説明しているため、寸法や材質等において技術的に好ましい種々の限定を付している場合もあるが、本発明の技術範囲は、特に本発明を限定する記載がない限り、これらの態様に限定されるものではない。
【００２５】
さらに、上記した本発明の各実施形態における構成要素は適宜、既存の構成要素等との置き換えが可能であり、且つ、他の既存の構成要素との組合せを含む様々なバリエーションが可能であり、上記した本発明の各実施形態の記載をもって、特許請求の範囲に記載された発明の内容を限定するものではない。
【符号の説明】
【００２６】
１    ホース
２    内側ホース
３    カバーホース
４    プラグ
５    蛇口
６    ノズル
【図１】
2014214764.tif 000003
【図２】
2014214764.tif 000004
【図３】
2014214764.tif 000005
【図４】
2014214764.tif 000006
【図５】
2014214764.tif 000007